(57)【特許請求の範囲】
【請求項１】
外郭を形成する筐体と、この筐体に弾性支持される有底円筒形の外槽と、この外槽内に回転自在に設けた有底円筒形のドラムと、このドラムを回転駆動するモータと、前記筐体と前記外槽を接続するベローズとを備えたドラム式洗濯機において、前記外槽の前側端面から前方に突出する突起が、衣類を投入する外槽開口部の外周側で、かつ前記ベローズを前記外槽側へ固定するベローズ固定部の内周側に設けられたことを特徴とするドラム式洗濯機。
【請求項２】
前記請求項１において、前記突起の一部が、前記ドラムの脱水回転方向に進むにつれ、前記外槽開口部の周縁部に近づくように延在することを特徴とするドラム式洗濯機。
【請求項３】
請求項１乃至２において、前記突起が、前記ドラムの回転軸よりも上側に形成されることを特徴とするドラム式洗濯機。
【請求項４】
外郭を形成する筐体と、この筐体に弾性支持される有底円筒形の外槽と、この外槽内に回転自在に設けた有底円筒形のドラムと、このドラムを回転駆動するモータと、前記筐体と前記外槽を接続するベローズと、前記ドラム内の衣類に温風を吹きつける温風吹き出し口とを備え、前記衣類を投入する外槽開口部の内周側に前記温風吹き出し口が突出したドラム式洗濯乾燥機において、前記外槽の前側端面から前方に突出する突起が、前記外槽開口部の外周側で、かつ前記ベローズを前記外槽側へ固定するベローズ固定部の内周側、かつ前記温風吹き出し口の近傍に形成されることを特徴とするドラム式洗濯乾燥機。
【発明の詳細な説明】
【技術分野】
【０００１】
本発明は、ドラム式洗濯機及びドラム式洗濯乾燥機に関する。
【背景技術】
【０００２】
ドラム式洗濯機は、ドラムの開口部、外槽の開口部、筐体の開口部が連通しており、外槽と筐体とを接続する蛇腹状のパッキンと、筐体の開口部に設けたドアで水封している。このドアは、ドラムの開口部に向けて突出しており、ドラムの開口部から衣類が飛び出すのを防いでいる。しかしながら、衣類の量が多い場合、ドアの突出部とドラムの開口部との隙間から、衣類の一部がドラムの外側に飛び出す場合がある。このまま脱水工程を行い、ドラムが高速回転すると、飛び出した衣類が非回転体の外槽やパッキンと擦れる場合がある。
【０００３】
そこで、衣類の飛び出しを防止する従来技術として、特許文献１には、出し入れ口の下側で開閉扉の内側に、衣類戻し板を洗濯槽の内方に向け下方に傾斜させて突設したことから、洗濯槽内の洗濯時に衣類に回転力が加わって、これにより衣類が洗濯槽の開口縁から開閉扉の方向に飛び出そうとしても、衣類戻し板に衣類が衝突し、衣類戻し板の傾斜面に沿って上昇し洗濯槽内の方向に押し戻されると記載されている。
【先行技術文献】
【特許文献】
【０００４】
【特許文献１】特開２００７−２０２７４１号公報
【発明の概要】
【発明が解決しようとする課題】
【０００５】
しかしながら、上記特許文献１で開示された技術は、開閉扉（本明細書中ではドアと呼ぶ）に衣類戻し板を設けるものであり、衣類の重量で洗濯槽（本明細書中ではドラムと呼ぶ）が沈みこんだ時に、衣類戻し板とドラムとの相対的な位置関係が変化して、衣類をドラム内に戻す作用が十分に得られない場合が考えられる。特に、脱水時におけるドラム内の衣類の分布に偏りがある場合、外槽は振動するため、衣類戻し板とドラムとの相対的な位置関係が変化するだけでなく、衣類戻し板と外槽とが衝突する可能性もある。また、飛び出した衣類は、ドラムの回転による遠心力で外槽の開口部やパッキン（本明細書中ではベローズと呼ぶ）に張り付くため、衣類戻し板と外槽との間に隙間がある場合、衣類をドラム内に戻す作用が十分に得られない可能性もある。
【課題を解決するための手段】
【０００６】
上記課題を解決するために、本発明は、外郭を形成する筐体と、この筐体に弾性支持される有底円筒形の外槽と、この外槽内に回転自在に設けた有底円筒形のドラムと、このドラムを回転駆動するモータと、前記筐体と前記外槽を接続するベローズとを備えたドラム式洗濯機において、前記外槽の前側端面から前方に突出する飛び出し防止突起を、衣類を投入する外槽開口部の外周側で、かつ前記ベローズを前記外槽側へ固定するベローズ固定部の内周側に設けたことを特徴とする。
【発明の効果】
【０００７】
本発明によれば、ドラムから飛び出した衣類が、ドラムの回転による遠心力で外槽やベローズに張り付いた場合においても、衣類をドラム内に引き戻すことができる。さらに、飛び出し防止突起は外槽側に設けられているため、飛び出し防止突起と外槽との位置関係は常に一定となり、外槽の沈み込みや振動によらず、衣類をドラム内に引き戻す作用を得ることができる。また、飛び出し防止突起は、外槽と一体で成形可能なため、構造が簡単になる。
【図面の簡単な説明】
【０００８】
【図１】ドラム式洗濯機の内部構造を示す右側面の模式図である。
【図２】ドラムの回転軸に沿って前から見た外槽の正面図である。
【図３】外槽の前側を拡大して示す右側断面図である。
【図４】飛び出し防止突起の作用を説明する模式図である。
【図５】衣類重量で外槽が初期位置から下方に沈み込んだ場合の外槽の右側断面図である。
【図６】図５のＡ−Ａ断面及び飛び出し防止突起の拡大図である。
【図７】ドラムの回転軸に沿って前から見た外槽の正面図である。
【図８】図７のＢ−Ｂ断面及び飛び出し防止突起の拡大断面図である。
【図９】ドラムの回転軸に沿って前から見た外槽の正面図である。
【図１０】ドラムの回転軸に沿って前から見た外槽の正面図である。
【図１１】ドラムの回転軸に沿って前から見た外槽の正面図である。
【図１２】ドラムの回転軸に沿って前から見た外槽の正面図である。
【発明を実施するための形態】
【０００９】
以下、本実施の形態例を図面を用いて説明する。
【実施例１】
【００１０】
本実施例では、洗濯から乾燥まで行うドラム式洗濯乾燥機１００を用いて説明する。図１は、本実施の形態例におけるドラム式洗濯乾燥機１００の内部構造を示す右側面の模式図である。図１に示すように、外郭を構成する筐体１の略中央に、衣類を出し入れするための投入口1ａが設けられており、この投入口１ａにはドア２を開閉自在に取り付けてある。ドア２には、前方から後方へ突出するドア突出部２ａがある。筐体１の上部中央にある操作パネル３は、運転を逐次制御するための制御装置４と電気的に接続されており、運転コースの設定や運転状態の表示を行う。
【００１１】
筐体１の内部には、水を溜める外槽２３がサスペンション２４や補助ばね２５を介して防振支持されており、衣類を収納するためのドラム２１を内包する。このドラム２１は、背面を有する略円筒形に形成され、シャフト２２ａを介して回転自在に取り付けてある。このシャフト２２ａに、外槽２３の背面に取り付けたモータ２２が連結され、このモータ２２によりドラム２１は正転（洗濯乾燥機１００を正面から見て時計回り）、逆転（洗濯乾燥機１００を正面から見て反時計回り）方向の両方向に回転駆動される。ドラム２１内周壁には、複数個のリフタ２１ｂが設けられている。また、ドラム２１の前端には、円筒状の流体バランサ２１ｃが設けられている。図１中に示すドラム２１の回転軸ｚ’は、正面から背面に向けて水平または下向きに傾斜させている。
【００１２】
外槽２３は前面と背面を有する略円筒に形成され、前面に衣類を出し入れするための外槽開口部２３ａを備えている。この外槽開口部２３ａと筺体１の投入口１ａは、環状のパッキンであるベローズ２６により接続されており、ドア２を閉めることで水封される。また、筐体１の投入口１ａ、外槽２３の開口部２３ａ、ドラム２１の開口部２１ａは連通しており、ドア２を開くことでドラム２１内への衣類の出し入れが可能となっている。なお、外槽２３は、開口部２３ａを含む側と、モータ２２の取り付けられる側とに分割することができる。
【００１３】
図１に示すように、この排水口２３ｄには、排水ホース１３が接続されている。この排水ホース１３は、排水経路に排水弁１３ａを有しており、この排水弁１３ａを開くことで、外槽２３内の洗濯水を排水する。外槽２３には、給水弁１１ａおよび洗剤容器１２を介して給水ホース１１の一端が接続してあり、給水弁１１ａを開くことで、外槽２３内に洗濯水の供給を行う。また、筺体１には、外槽２３内の除湿を行う乾燥ユニット１４が設けられており、外槽２３の開口部２３ａ近傍からドラム２１内に向けて送風を行う。
【００１４】
上記構成において、その動作を説明する。ドア２を開いてドラム２１内に衣類を投入し、洗剤容器１２内に所定量の洗剤を投入した後、運転を開始させると、まず、洗い工程を実行する。洗い工程において、給水弁１１ａが開き給水された水は、洗剤容器１２および給水ホース１１を介して、洗剤と共に外槽２３内に入る。この動作を所定時間実行した後、ドラム２１が正転、停止、逆転、停止を繰り返す洗い動作を所定時間実行する。このとき、ドラム２１内に収容された衣類は、ドラム２１内周壁に設けられたリフタ２１ｂによって回転方向に持ち上げられ、持ち上げられた高さ位置から落下する攪拌動作が繰り返されるため、衣類にはたたき洗いの作用が働き、洗われる。
【００１５】
この動作を所定時間行った後、洗い工程を終了し、脱水工程を実行する。この脱水工程においては、まず排水弁１３ａが開き、外槽２３内の水が排水ホース１３を介して機外に排水される。次に、ドラム２１を一方向（本実施例では逆転方向）に回転させて、所定回転数（例えば、９００ｒ／ｍｉｎ）に到達した後に所定時間回転させることで、衣類に含まれる水を脱水する。
【００１６】
この脱水工程を所定時間行った後、給水弁１１ａが開き給水され、その水は洗剤容器１２および給水ホース１１を通り、外槽２３内に注水され、すすぎ工程が実施される。このすすぎ工程においては、前述した洗い工程と同様に、正転、休止、反転、休止の動作を繰り返し、衣類がドラム２１の内周壁に設けられたリフタ２１ｂによって回転方向に持ち上げられ、持ち上げられた高さ位置から落下する攪拌動作が繰り返されるすすぎ動作を所定時間実行する。
【００１７】
その後、前述した脱水工程およびすすぎ工程を所定回数繰り返し、最終脱水工程に移行する。この最終脱水工程における脱水時間は、前述の脱水工程より長く設定してある。この最終脱水工程を行った後、乾燥工程を実行する。乾燥工程では、乾燥ユニット１４で外槽２３内への送風を所定時間行いながら、前述した洗い工程と同様に、正転、休止、反転、休止の動作を繰り返し、衣類がドラム２１の内周壁に設けられたリフタ２１ｂによって回転方向に持ち上げられ、持ち上げられた高さ位置から落下する攪拌動作が繰り返される乾燥動作を所定時間実行する。
【００１８】
図２は、回転軸ｚ’に沿って、外槽２３を前から見た正面図である。外槽開口部２３ａ近傍には、洗濯水の経路である洗濯水給水口２３ｅと、温風の経路である温風吹き出し口２３ｆとが設けられており、図２の破線矢印のように、洗濯水と温風が外槽２３内に供給される。なお、洗濯水と温風の経路を確保するために、図１に示すようにドア２のドア突出部２ａの上側は、下側に比べて突出量が小さくなっている。また、外槽開口部２３ａの外周側には、ベローズ２６を固定するためのベローズ固定部２３ｇが形成されている。このベローズ固定部２３ｇは、正面から見て略円形状であり、ベローズ２６に対して略同心円状となっている。ここで、外槽２３の前側端面のうち、外槽開口部２３ａの近傍で、外槽開口部２３ａの外周側とベローズ固定部２３ｇの内周側とに囲まれた面を、外槽前端面２３ｈとする。この外槽前端面２３ｈには、前方に突出する突起を設けている。この突起は、以下では飛び出し防止突起３１と呼び，外槽開口部２３ａと略同心円に延在するように設けられている。この飛び出し防止突起３１は、外槽２３と別部材で形成しても良いが、一体で形成することで、製造時の組立の手間を省くと共に、取り付けねじの緩みなどの経年劣化を防止することが出来る。
【００１９】
図３は、外槽２３の前側の右側断面図である。ベローズ２６は、外槽２３の沈み込みによる変形や外槽２３の振動を筺体１に伝達させないために、蛇腹構造を有している。この蛇腹構造により、ベローズ２６と外槽前端面２３ｈとの隙間は一部狭くなることから、図３のように、ベローズ２６よりも内周側に飛び出し防止突起３１を形成することで、外槽２３が振動した場合においても、飛び出し防止突起３１がベローズ２６と接触するのを防ぐことができる。なお、ベローズ固定部２３ｇが外槽開口部２３ａに対して偏心している場合、飛び出し防止突起３１を偏心方向に設けることで、飛び出し防止突起３１とベローズ２６との距離が広がり、それらが接触するのを防ぐ効果がより得られる。
【００２０】
ここで図４を用いて、飛び出し防止突起３１により、飛び出した衣類がドラム２１内に戻る原理を説明する。図４の太い実線矢印は、衣類に作用する遠心力である。遠心力の大きさは、衣類の質量をｍ（ｋｇ）、回転軸ｚ’からの距離をｒ（ｍ）、ドラム２１の回転数をΩ（ｒ/ｍｉｎ）とすると、ｍｒ（２πΩ／６０）2（Ｎ）となる。つまり、衣類の質量が同じなら、回転軸ｚ’からの距離ｒが長いほど、ドラム２１の回転数が高いほど、遠心力は大きくなる。また、図４の白抜き矢印は、衣類の飛び出している側とドラム２１内に収容されている側との遠心力の差により、飛び出した衣類をドラム内に引き戻そうとする力を表している。図４（ａ）〜（ｃ）は、ドラム回転数と飛び出し防止突起の有無により、飛び出した衣類の戻りやすさを説明するものである。
【００２１】
まず、外槽２３に飛び出し防止突起３１を備えていない場合として、図４（ａ）は脱水回転数が低く、例えば１００ｒ／ｍｉｎの場合であり、図４（ｂ）は脱水回転数が高く、例えば６００ｒ／ｍｉｎの場合である。図４（ａ）のように低い回転数では、衣類に作用する遠心力が小さいため、ドラム２１内の衣類はつぶれることなく、ドラム２１内は衣類でほぼ満たされている。そのため、一部が外槽開口部２３ａから前方に飛び出した衣類のうち、飛び出している側に比べて、ドラム２１内に収容されている側の方が、回転軸ｚ’との距離が近くなりやすい。その結果、前記衣類に作用する遠心力は、飛び出している側よりもドラム２１内に収容されている側の方が小さくなる。すなわち、飛び出した衣類をドラム２１内に引き戻そうとする力よりも、飛び出しを促進する力の方が大きくなり、衣類の飛び出しを解消し難くなる場合がある。しかし、図４（ｂ）のように高い回転数では、遠心力でドラム２１内の衣類がつぶれて薄くなり、回転軸ｚ’との距離が大きくなる。その結果、前記衣類に作用する遠心力は、飛び出している側よりもドラム２１内に収容されている側の方が大きくなり、ドラム２１内に引き戻そうとする力は大きくなる。この引き戻す力で、前記衣類の飛び出している側がドラム２１内に戻る作用が進むにつれ、前記衣類の飛び出している側の長さも短くなり、遠心力の差が大きくなることから、さらに引き戻す力が大きくなる。このように、ドラム２１の回転数が高くなるにつれ、飛び出した衣類をドラム２１内に戻す作用が大きくなる。
【００２２】
次に、図４（ｃ）を用いて、外槽２３に飛び出し防止突起３１を備えた場合ついて説明する。図４（ｃ）は、前述した６００ｒ／ｍｉｎよりも回転数が低く、例えば３００ｒ／ｍｉｎの場合であり、図４（ｂ）よりも遠心力が小さく、衣類のつぶれも小さくなる。このとき、一部が外槽開口部２３ａから前方に飛び出した衣類のうち、前記衣類の飛び出している側は、ドラム２１と共に回転して飛び出し防止突起に乗る時に、回転軸ｚ’との距離が短くなる。その結果、ドラム２１内の衣類で満たされている低い回転数においても、前記衣類の飛び出している側よりもドラム２１内に収容されている側の方が遠心力は大きくなりやすい。すなわち、低い回転数においても、飛び出した衣類をドラム２１内に引き戻そうとする力が作用する。したがって、飛び出し防止突起３１を設けることで、ドラム２１の回転数が上昇する前に、飛び出した衣類をドラム２１内に引き戻すことができる。
【００２３】
ここで図５は、衣類重量で外槽２３が初期位置から下方に沈み込んだ場合の外槽２３の右側断面図である。このとき、外槽前端面２３ｈのうち回転軸ｚ’の下側がベローズ２６よりも外周側に位置しているのに対して、その上側はベローズ２６よりも内周側に位置している。すなわち、飛び出し防止突起３１はベローズ２６から離れる方向に移動することになる。一方、飛び出し防止突起３１とドア２は近づく方向に移動するが、前述のようにドア突出部２ａはドラム２１側に突出する量が上側の方が小さいため、飛び出し防止突起３１との隙間は確保しやすい。したがって、飛び出し防止突起３１を回転軸ｚ’よりも上側に形成することで、衣類重量により外槽２３が沈み込んだ場合でも、ドア２やベローズ２６と飛び出し防止突起３１とが衝突するのを防ぐことができる。
【００２４】
図６は、図５の一点鎖線Ａ−Ａから見た飛び出し防止突起３１の拡大図である。飛び出した衣類は、ドラム２１と共に回転し、図６の位置Ｐから位置Ｐ’へと移動する。このとき、飛び出した衣類は、飛び出し防止突起３１と衝突した勢いで、太い実線矢印のように前方へ移動してドア２と当たる場合がある。さらに、ドア２に当たった衣類は、摩擦力でねじれ、塊となってドラム２１内へ戻る場合がある。このように、飛び出し防止突起３１を外槽前端面２３ｈから前方へ突出させて形成することで、ドア２を利用して飛び出しを解消する効果も得られる。この効果は、ドラム２１内に衣類が満たされて、衣類とドア２とが高い頻度で擦れ合う状況で、かつ衣類重量で外槽２３が下方に沈み込み、飛び出し防止突起３１とドア２との距離が近づいている場合に大きくなる。
【００２５】
ここまでは、飛び出し防止突起３１が外槽開口部２３ａと略同心円状に延在する場合を示したが、図７のように、飛び出し防止突起３２を脱水回転方向に進むにつれ回転軸ｚ’に近づくように設けても、同様の効果が得られる。前記構成によると、ドラム２１と共に回転して位置Ｑから位置Ｑ’へと移動した衣類が、飛び出し防止突起３２と当たる位置は、図２の形状よりも外槽前端面２３ｈの外周側となる。ここで、図７の一点鎖線Ｂ−Ｂから見た断面を図８に示す。脱水回転方向に延在する飛び出し防止突起３２のうち、脱水回転方向の上流側が外周側に形成している。すなわち、飛び出し防止突起３２のうち、衣類と最初に当たる部分を外周側に位置させることで、飛び出した衣類が飛び出し防止突起３２よりも外周側となる長さが短く、飛び出し防止突起３２を乗り越えにくくなる。その結果、飛び出した衣類の先端は飛び出し防止突起３２よりも内側に位置しやすく、脱水回転方向に進むにつれ、内周側に延在する飛び出し防止突起３２に誘導される。すなわち、飛び出した衣類は遠心力の小さくなる方向に誘導されるため、ドラム２１内に引き戻される作用が大きくなる。なお、図７で飛び出し防止突起３２は湾曲しているが、直線でも同様の効果がある。
【００２６】
さらに、飛び出し防止突起３３は、図９のように、脱水回転方向に進むにつれ回転軸ｚ’に近づくように延在する誘導面３３ａと、外槽開口部２３ａと略同心円状となる最内周面３３ｂとで形成してもよい。前述のように、ドラム２１と共に回転する飛び出した衣類を誘導面３３ａで内周側に誘導し、最内周面３３ｂに衣類が乗っている間に、遠心力の差でドラム２１内に引き戻される。また、飛び出し防止突起３３の上面は、水を流し落とすための勾配を設けても良い。なお、図９で誘導部は湾曲しているが、直線でも同様の効果がある。
【００２７】
ここで、図１０は、温風吹き出し口２３ｆは、外槽開口部２３ａの内周側に突出しており、回転軸z’から温風吹き出し口２３ｆまでの距離が最小となっている。このとき、温風吹き出し口２３ｆの近傍のうち、温風吹き出し口の位置に飛び出し防止突起３４を設けることで、飛び出した衣類をドラム２１内に引き戻す作用がより大きくなる。前記構成によると、温風吹き出し口２３ｆは外槽開口部２３ａの最内周部であり、外槽開口部２３ａから飛び出した衣類に作用する遠心力が最も小さくなる部分に飛び出し防止突起３４が位置することになる。したがって、一部が外槽開口部２３ａから飛び出している衣類の、飛び出している側とドラム２１内に収容されている側とで遠心力の差が大きくなり、飛び出している側をドラム内へ引き戻そうとする力が大きくなる。なお、飛び出し防止突起３４は、温風吹き出し口２３ｆの近傍で、脱水回転方向の下流側に位置させても、飛び出した衣類が飛び出し防止突起３４に当たる前に、温風吹き出し口２３ｆで内周側に誘導されているため、同様の効果が得られる。また、温風吹き出し口２３ｆが内周側にせり出している場合だけでなく、洗濯水給水口２３ｅが内周側に突出している場合も同様である。
【００２８】
なお、本実施例ではドラム式洗濯乾燥機を例に説明したが、ドラム式洗濯機でも同様である。
【実施例２】
【００２９】
図１１は、外槽２３の正面から見た、第二の実施の形態例における飛び出し防止突起３５である。図１１のように、飛び出し防止突起３５には、外槽開口部２３ａと略同心となる最内周面３５ｂと、その両側に脱水回転方向に進むにつれ回転軸ｚ’に近づくように延在する誘導面３５ａを設けることで、脱水回転方向によらず、誘導部が飛び出した衣類を内周側へ誘導する作用が得られる。すなわち、脱水回転方向が正逆両方向の場合においても、第一の実施の形態例と同様の効果が得られる。また、水を流し落とすために、外槽前端面２３ｈから前方に向けて下側に傾斜する勾配３５ｃを設けている。なお、第一の実施の形態例と同じ構成は、同一符号を付して説明を省略する。
【実施例３】
【００３０】
図１２は、外槽２３の正面から見た、第三の実施の形態例における上側飛び出し防止突起３６及び下側飛び出し防止突起３７である。上側飛び出し防止突起３６は、洗濯水給水口２３ｅに対して、脱水回転方向の上流側に設けてある。このとき、飛び出した衣類は、洗濯水給水口２３ｅよりも先に上側飛び出し防止突起３６に当たるため、洗濯水給水口２３ｅと衣類が擦れるのを防ぐことが出来る。また、下側飛び出し防止突起２７は、外槽前端面２３ｈと投入口１ａとの隙間を少なくするように、回転軸ｚ’より下側の外槽前端面２３ｈから前方に突出している。これにより、外槽２３が重力方向に沈み込んだ場合でも、投入口１ａと外槽開口部２３ａとの隙間に、靴下やハンカチのような小物の衣類が入り込むのを防ぐことが出来る。さらに、上側飛び出し防止突起３６と下側飛び出し防止突起３７のように、脱水１回転あたりに複数の突出部を設けることで、飛び出しを解消しつつある衣類が再び飛び出すのを防ぐことが出来る。なお、これら上側飛び出し突起３６と下側飛び出し防止突起３７は、第一及び第二の実施の形態例のように誘導部を設けても、それらと同様の効果が得られる。また、第一の実施の形態例と同じ構成は、同一符号を付して説明を省略する。
【符号の説明】
【００３１】
２３  外槽
２３ａ  外槽開口部
２３ｅ  洗濯水給水口
２３ｆ  温風吹出口
２３ｇ  ベローズ固定部
２３ｈ  外槽前端面
３１  飛び出し防止突起
【図１】
0006037986.tif 000002
【図２】
0006037986.tif 000003
【図３】
0006037986.tif 000004
【図４】
0006037986.tif 000005
【図５】
0006037986.tif 000006
【図６】
0006037986.tif 000007
【図７】
0006037986.tif 000008
【図８】
0006037986.tif 000009
【図９】
0006037986.tif 000010
【図１０】
0006037986.tif 000011
【図１１】
0006037986.tif 000012
【図１２】
0006037986.tif 000013